(57)【特許請求の範囲】
【請求項１】
壁面に取り付けられるアッパーキャビネットであって、前面扉、周壁および背面壁を有し、内部が収納空間とされた収納棚と、前記背面壁よりも前記壁面側に設けられた昇降式の収納ラックと、を備え、
前記背面壁は、前記収納棚から着脱自在な構成であり、複数の板状部材により構成されており、
前記複数の板状部材は、収納棚の下方寄りの位置に取り付けられる第１板状部材と、前記第１板状部材よりも収納棚の上方寄りの位置に取り付けられる第２板状部材と、を含み、前記第２板状部材は、前記第１板状部材よりも高さ寸法が小さい構成とされており、
前記背面壁は、前記第１板状部材と前記第２板状部材とを連結する連結部をさらに備え、前記第１板状部材と前記第２板状部材は、それぞれの上端部および下端部が前記連結部に取り付けられる構成であり、
前記連結部は突出部を備え、突出部は、第１板状部材と第２板状部材にそれぞれ当接するように設けられており、第１板状部材と当接する突出部は下方に傾斜し、第２板状部材と当接する突出部は上方に傾斜して形成されており、第１板状部材の上端および第２板状部材の下端は、それぞれ下方に傾斜した突出部の傾斜面および上方に傾斜した突出部の傾斜面に当接する構成とし、傾斜面の楔作用によって連結部側に寄せて位置決めされる構成であることを特徴とするアッパーキャビネット。
【請求項２】
前記周壁は、左右の側面壁を有し、前記連結部は、前記左右の側面壁の間に架設された桟に設けられていることを特徴とする請求項１に記載のアッパーキャビネット。
【請求項３】
前記収納棚には、取り付け用のダボを用いて所望の位置に取り付けが可能な複数の可動式棚板と、固定部材により所定の位置に固定される少なくとも一つの固定式棚板が取り付けられており、
前記連結部は、前記固定式棚板の奥行き方向の寸法と同等以下の高さ寸法分だけ、前記固定式棚板の上面よりも上方となる位置に設けられていることを特徴とする請求項２に記載のアッパーキャビネット。
【発明の詳細な説明】
【技術分野】
【０００１】
本発明は、キッチンなどの壁面に取り付けられるアッパーキャビネットに関するものである。
【背景技術】
【０００２】
従来、キッチンなどの壁面に取り付けられる昇降式の収納ラックを備えたアッパーキャビネットは知られている。例えば、流し台の後方の壁面で、かつ、窓の上方位置に上下動式の収納棚を備えた収納箱を固定し、収納箱の前部に吊戸棚を取り付けてなる吊戸棚装置が知られている（特許文献１参照）。
【０００３】
また、棚板と、棚板を昇降動作自在に支持する棚板支持手段と、棚板を上昇する方向へ付勢する定重量バネと、定重量バネの付勢力に抗して棚板を所定位置で固定する固定手段と、棚板のサイズ等に応じて付け替えられる荷重調整ウェイトとを備えた昇降式載置棚が知られている（特許文献２参照）。
【先行技術文献】
【特許文献】
【０００４】
【特許文献１】実開昭６３−１８１３３７号公報
【特許文献２】特開２００７−２０６４８号公報
【発明の概要】
【発明が解決しようとする課題】
【０００５】
上記のような昇降式の収納ラックを備えたアッパーキャビネットは、収納棚とその背面側に設けられた昇降式の収納ラックとが組み合わさることにより多様な収納スタイルに対応ができる。しかしながら、従来の昇降式の収納ラックを備えたアッパーキャビネットは、昇降式の収納ラックの機構部のメンテナンスを効率よく行うための点検口を備えていない。
【０００６】
つまり、従来の昇降式の収納ラックを備えたアッパーキャビネットは、昇降式の収納ラックの機構部のメンテナンスや点検などを行う場合の作業性について考慮されているとはいえない。
【０００７】
本発明は、上記従来の問題を解決することを目的とするものであり、昇降式の収納ラックの機構部のメンテナンスが容易にできるアッパーキャビネットを実現することを課題とする。
【課題を解決するための手段】
【０００８】
本発明は上記課題を解決するために、壁面に取り付けられるアッパーキャビネットであって、前面扉、周壁および背面壁を有し、内部が収納空間とされた収納棚と、前記背面壁よりも前記壁面側に設けられた昇降式の収納ラックと、を備え、前記背面壁は、前記収納棚から着脱自在な構成であり、複数の板状部材により構成されており、前記複数の板状部材は、収納棚の下方寄りの位置に取り付けられる第１板状部材と、前記第１板状部材よりも収納棚の上方寄りの位置に取り付けられる第２板状部材と、を含み、前記第２板状部材は、前記第１板状部材よりも高さ寸法が小さい構成とされており、前記背面壁は、前記第１板状部材と前記第２板状部材とを連結する連結部をさらに備え、前記第１板状部材と前記第２板状部材は、それぞれの上端部および下端部が前記連結部に取り付けられる構成であり、前記連結部は突出部を備え、突出部は、第１板状部材と第２板状部材にそれぞれ当接するように設けられており、第１板状部材と当接する突出部は下方に傾斜し、第２板状部材と当接する突出部は上方に傾斜して形成されており、第１板状部材の上端および第２板状部材の下端は、それぞれ下方に傾斜した突出部の傾斜面および上方に傾斜した突出部の傾斜面に当接する構成とし、傾斜面の楔作用によって連結部側に寄せて位置決めされる構成であることを特徴とするアッパーキャビネットを提供する。
【００１２】
前記周壁は、左右の側面壁を有し、前記連結部は、前記左右の側面壁の間に架設された桟に設けられていることが好ましい。
【００１３】
前記収納棚には、取り付け用のダボを用いて所望の位置に取り付けが可能な複数の可動式棚板と、固定部材により所定の位置に固定される少なくとも一つの固定式棚板が取り付けられており、前記連結部は、前記固定式棚板の奥行き方向の寸法と同等以下の高さ寸法分だけ、前記固定式棚板の上面よりも上方となる位置に設けられていることが好ましい。
【発明の効果】
【００１４】
本発明によれば、アッパーキャビネットの背面壁を取り付け取り外し可能な構成としたので、昇降式の収納ラックの機構部のメンテナンス、点検のための作業が容易となる。
【図面の簡単な説明】
【００１５】
【図１】本発明に係るアッパーキャビネットの実施例を説明する図であり、アッパーキャビネットの正面図である。
【図２】図１のＡ−Ａ断面図である。
【図３】図２の要部を説明する図である。
【図４】（ａ）は上下の連結材を示す斜視図であり、（ｂ）は図３の連結部の拡大図を示し、（ｃ）は連結材に板状部材を載置した状態を示す。
【発明を実施するための形態】
【００１６】
本発明に係るアッパーキャビネットを実施するための形態を実施例に基づき図面を参照して、以下説明する。
【実施例】
【００１７】
本発明に係るアッパーキャビネットの実施例を図１〜４において説明する。本明細書では、アッパーキャビネットを扉側の正面から見て、手前側を前方とし、奥側を後方とし、左右を左右方向とする。
【００１８】
実施例のアッパーキャビネット１は、図１および図２に示すように、左右の側面壁２、頂壁３および後壁４を備えており、キッチンなどの壁面８に取り付けられて使用される。アッパーキャビネット１は、収納棚９と昇降式の収納ラック１０を備えている。
【００１９】
収納棚９は、図１、図２に示すように、前面扉１３と、左右の側面壁２から成る周壁１４と、背面壁１５と、底壁１６を有し、詳細は後記するが、棚が一段または複数段設けられている。左右の側面壁２の間には、桟１７が架設されている。
【００２０】
昇降式の収納ラック１０は、図２に示すように、背面壁１５よりも壁面８側の後方空間１８内に設けられており、アッパーキャビネット１の下端から下方に降下させ、また上昇させて後方空間１８内に納めることが可能である。昇降式の収納ラック１０自体は周知でありいろいろな構成があるが、本実施例の昇降式の収納ラック１０の構成は、概略は次のとおりである。
【００２１】
即ち、昇降式の収納ラック１０は、アッパーキャビネット１の後壁４に設けられたレール１９を上下方向に摺動する可動フレーム２０と、可動フレーム２０にロッド２１を介して取り付けられた可動棚２２と、可動フレーム２０を上方に付勢する巻き取りおよび繰り出し可能な帯状の巻き取りバネ２３と、可動棚２２を引き下げた位置にロックしまたロックを解除する図示しないロックよび解除手段と、を備えている。
【００２２】
本発明では、昇降式の収納ラック１０の機構部２５のメンテナンスのために、背面壁１５は、収納棚９から着脱自在な構成とした。背面壁１５は、１枚の板状部材を用いても可能である。本実施例では、その取り付け取り外しに際して、前面扉１３の蝶番２６などが邪魔となって作業がしにくいことを考慮して、収納棚９から容易に着脱可能とするために、複数の板状部材から成る構成とした。
【００２３】
本実施例では、背面壁１５は、図１、図２に示すように、収納棚９の下方寄りの位置に取り付けられる第１板状部材３０と、第１板状部材３０よりも上方寄りの位置に取り付けられる第２板状部材３１を備えている。第２板状部材３１は、第１板状部材３０よりも高さ寸法が小さい。
【００２４】
そして、背面壁１５は、図３に示すように、第１板状部材３０と第２板状部材３１とを連結する連結部４３を備えている。連結部４３は、第１の連結部材３２と第２の連結部材３３とで構成されている。第１板状部材３０の上端部と第２板状部材３１の下端部には、それぞれ第１の連結部材３２と第２の連結部材３３が取り付けられる。
【００２５】
第１の連結部材３２と第２の連結部材３３は、図４（ａ）に示すように、それぞれ断面が略Ｌ字型をしており、アッパーキャビネット１の横幅方向と略同じ長さに形成されている。第１の連結部材３２と第２の連結部材３３のそれぞれの前面側の上端および下端には、それぞれ前方に突出部３８が形成されている。
【００２６】
図２に示すように、第１板状部材３０は、その下端部は底壁１６に形成された溝３７に嵌合され、上端部は第１の連結部材３２の突出部３８に当接される。第２板状部材３１は、その上端部は頂壁３に形成された溝３９に嵌合され、下端は第２の連結部材３３の突出部３８に載置されて当接される。
【００２７】
そして、図４（ｂ）に示すように、第１板状部材３０と第２板状部材３１は、それぞれビス４２によって第１の連結部材３２と第２の連結部材３３とともに桟１７に固定される。このようにして、第１板状部材３０と第２板状部材３１は、それぞれ第１の連結部材３２と第２の連結部材３３に取り付けられて、互いに連結される。このように第１板状部材３０と第２板状部材３１を連結する部分を、本明細書では、連結部４３という。
【００２８】
第１板状部材３０と第２板状部材３１を、それぞれビス４２をはずして第１の連結部材３２と第２の連結部材３３からはずし、第１板状部材３０と第２板状部材３１を、収納棚９からとりはずせば、後方空間１８にアクセスでき、昇降式の収納ラック１０の機構部２５のメンテナンスなどが可能となる。
【００２９】
なお、突出部３８は、第１の連結部材３２および第２の連結部材３３から水平方向に突出する構成であてもよいが、図４（ａ）、（ｂ）に示すように、突出部３８が突出する方向に向けて、第１の連結部材３２の前面側の上端に形成された突出部３８は下方に傾斜して形成されており、第２の連結部材３３の前面側の下端に形成された突出部３８は上方に傾斜して形成されていることが好ましい。
【００３０】
その理由は、上記のように突出部３８を傾斜することによって、図４（ｃ）に示すように、第１板状部材３０と第２板状部材３１を突出部３８の傾斜面の楔作用によって、後方の連結材側に寄せて位置決めするので、第１板状部材３０および第２板状部材３１を、第１の連結部材３２および第２の連結部材３３とともに桟１７に固定する際に作業がし易いためである。
【００３１】
アッパーキャビネット１の左右の側面壁２には、それぞれ前後一対で、上下方向に適宜間隔をおいてダボ孔４４が形成されている（図１、図２参照）。このダボ孔４４にダボ４５が装着される。そして、収納棚９の後記する棚板４８、４９は、それぞれ左右の端部がダボ４５で支持されて取り付けられる。
【００３２】
本発明に係るアッパーキャビネット１の収納棚９には、上下方向に間隔をおいて１枚または複数枚の棚板が取り付けられる。複数の棚板のうち、第１板状部材３０と第２板状部材３１が第１の連結部材３２および第２の連結部材３３とともに桟１７に固定されて連結される連結部４３の下方直近の棚板は、その高さは固定された状態で取り付けられており、これを本明細書では固定式棚板という。その他の棚板は、上下方向に高さを変えて取り付けられ、これを可動式棚板という。
【００３３】
本実施例では、図１、図２に示すように、上方に固定式棚板４８が取り付けられており、下方に可動式棚板４９が取り付けられている。固定式棚板４８は、連結部４３の下方直近の位置に固定部材で固定される。この固定部材は、固定式棚板４８を側面壁２に固定するためのネジなどを使用してもよいが、上記のようにダボ孔４４に装着したダボであってもよい。
【００３４】
固定部材としてダボ４５を使用する場合は、前後一対のダボ４５を装着するためのダボ孔４４は、図２に示すように、第１板状部材３０と第２板状部材３１が連結材で連結された位置の下方直近の所望の位置に一段しか形成されておらず、固定式棚板４８の取り付け高さは固定される。
【００３５】
一方、可動式棚板４９は、その高さは複数段に高さ位置を変えて取り付けられる。そのために、可動式棚板４９を支持するダボ４５を装着するための前後一対のダボ孔４４は、図２に示すように、上下方向に所定の間隔をおいて複数段形成されている。
【００３６】
ところで、第１板状部材３０と第２板状部材３１が連結される連結部４３は、アッパーキャビネット１の前方に露出しているので見栄えが良くない。この問題を解決するために本発明者らは鋭意検討した結果、アッパーキャビネット１は、キッチンの壁面８の比較的上方に取り付けられ、使用者から見て連結部４３が上方の視野にあることに着目し、固定式棚板４８で連結部４３を隠すという簡単であるが、画期的な発想を得た。
【００３７】
そのためには、図３に示すように、使用者が固定式棚板４８の前縁５１越し（前縁５１の視線の先）に見える背面壁１５の目視部５２の高さより、連結部４３の位置を低くするという条件が必要である。この条件を満たすように、固定式棚板４８の奥行き寸法Ｗと、第１板状部材３０および第２板状部材３１のそれぞれの高さ寸法を決めればよい。ここで連結部４３の位置として、第２板状部材３１を第２の連結部材３３とともに桟１７に固定するビス４２の位置まで含める。
【００３８】
上記条件を数式化すると、次のとおりとなる。
Ｗｔａｎθ＞Ｈ                                         
ここで、θは使用者が固定式棚板４８の前縁５１越し上方を見る仰角（水平面に対する使用者が前縁５１越し上方を見る視線のなす角度）、Ｈは固定式棚板４８の上面から連結部４３の上部のビス４２までの高さである（図３参照）。
【００３９】
但し、使用者の身長やアッパーキャビネット１を見る位置によって、仰角θは異なる。従って、使用者の身長については比較的高い人の身長に適宜決め（例えば１９０ｃｍ）、見る位置は、通常使用者がアッパーキャビネット１を見たり使用したりする位置（例えば１ｍ程度の範囲内の離れた位置）とする等、ある程度の条件を設定して、仰角θを決めて、第１の板状部材と第２板状部材３１のそれぞれの高さ寸法を決めて、連結部４３の高さ位置を決めればよい。
【００４０】
このような設定をすれば、特別身長の高い使用者が目視した場合やアッパーキャビネット１からかなり離れた位置から目視した場合などの特別な場合を除き、大半の使用者が通常の状態で目視する限りでは、ビス４２も含め連結部４３は、固定式棚板４８で遮蔽されて視界に入らない。 
【００４１】
例えば、特別身長の高い使用者が目視した場合やアッパーキャビネット１からかなり離れた位置から目視した場合などの特別な場合を除き、使用者がアッパーキャビネット１の固定式棚板４８の前縁５１を見る仰角θは、略４５度より大きいものと考えられる。
【００４２】
そこで、仰角θを４５度として、上記数式から算出すると、連結部４３の位置（高さＨの位置）が、固定式棚板４８の奥行き寸法Ｗと同等以下の高さ寸法分だけ、固定式棚板４８の上面よりも上方となる位置に設けられていれば、上記のような特別な場合を除き、大半の使用者が通常の状態で目視する限りでは、連結部４３は、固定式棚板４８で遮蔽されて視界に入らない。
【００４３】
（作用）
上記実施例のアッパーキャビネット１の作用について、その使用およびメンテナンスの際の背面壁１５の取り外しなどを含めて以下説明する。
【００４４】
アッパーキャビネット１は、その使用に際しては、前面扉１３を開閉し、物品を、収納棚９内に収納したり収納棚９から取り出したりする。また、昇降式の収納ラック１０は、その使用に際しては、物品を可動棚２２に載置してから巻き取りバネ２３の付勢力を利用して上昇させて後方空間１８内に納め、或いは巻き取りバネ２３の弾力に抗して引き下ろして物品を取り出したりする。
【００４５】
昇降式の収納ラック１０の機構部２５のメンテナンスの際には、背面壁１５を構成する第１板状部材３０と第２板状部材３１を収納棚９から取り外す必要がある。そのために、まず、固定式棚板４８および可動式棚板４９を取り外して、収納棚９から取り出す。
【００４６】
次に、上下のビス４２を外して、第１板状部材３０と第２板状部材３１のそれぞれの上端および下端を、桟１７、並びに第１の連結材３２および第１の連結材３３から取り外す。そして、第１板状部材３０と第２板状部材３１のそれぞれ下端および上端を、底壁１６の溝３７および頂壁３の溝３９から外す。
【００４７】
これによって、第１板状部材３０と第２板状部材３１を収納棚９から取り外すことができる。このように、本発明では、背面壁１５を、複数枚、本実施例では第１板状部材３０と第２板状部材３１によって構成し、これを周壁１４（左右の側面壁２）の間に架設された桟１７において連結する構成としたので、メンテナンスの際の取り外しが容易となる。
【００４８】
固定式棚板４８は、前記したとおり所定の高さ位置に固定され、その取り付け高さを変えることはできないが、可動式棚板４９は、複数段形成された前後一対のダボ孔４４を選択してダボ４５を装着し、そのダボ４５に載置することでその取り付け高さを変えることが可能である。従って、使用者の好みや収納する物品の種類、大きさなどに応じて、可動式棚板４９の取付け高さ位置を変えて使用すればよい。
【００４９】
ところで、アッパーキャビネット１は、使用者が固定式棚板４８の前縁５１越しに見える背面壁１５の目視部５２より、連結部４３の位置を低くするように、固定式棚板４８の奥行き寸法Ｗとの関係で、第１板状部材３０および第２板状部材３１のそれぞれの高さ寸法を設定すれば、連結部４３は固定式棚板４８によって遮蔽され、使用者の視界に入らない。そのため、見栄えが良くなる。
【００５０】
以上、本発明に係るアッパーキャビネットを実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００５１】
本発明に係るアッパーキャビネットは上記のような構成であるから、キッチンだけでなく、家具用キャビネットなど、各種のキャビネットにも適用可能である。
【符号の説明】
【００５２】
１  アッパーキャビネット                       
２  左右の側面壁                               
３  頂壁                                       
４  後壁                                       
８  キッチンなどの壁面                         
９  収納棚                                     
１０  昇降式の収納ラック                       
１３  前面扉                                   
１４  周壁                                     
１５  背面壁                                   
１６  底壁                                     
１７  桟                                       
１８  後方空間                                 
１９  レール                                   
２０  可動フレーム                             
２１  ロッド                                   
２２  可動棚                                 
２３  巻き取りバネ                             
２５  機構部                                   
２６  蝶番                                     
３０  第１板状部材                             
３１  第２板状部材                             
３２  第１の連結部材                           
３３  第２の連結部材                           
３７  底壁に形成された溝                       
３８  連結部材の突出部                         
３９  頂壁に形成された溝                       
４２  ビス                                     
４３  連結部                                   
４４  ダボ孔                                   
４５  ダボ                                     
４８  固定式棚板                               
４９  可動式棚板                               
５１  固定式棚板の前縁                         
５２  背面壁の目視部                           
【図１】
0006603454.tif 000002
【図２】
0006603454.tif 000003
【図３】
0006603454.tif 000004
【図４】
0006603454.tif 000005